(57)【特許請求の範囲】
【請求項１】
筐体外部に露出したボタンの上端部を押し下げることにより、基板上の電気接点を導通させることが可能なボタンスイッチであって、
前記上端部と、前記上端部からシフトして前記上端部の下部に形成された柱部と、前記筐体に取り付けられる第１取り付け部と、前記上端部と前記第１取り付け部とを連結して前記上端部の押下量に応じて撓み／復元を行う第１連結部と、を有するボタン本体と、
凹み部において前記柱部の下端を受ける支持部と、前記筐体に取り付けられる第２取り付け部と、前記支持部と前記第２取り付け部とを連結して前記上端部の押下量に応じて撓み／復元を行う第２連結部と、を有する位置規制部材と、
前記基板の前記支持部の直下の位置に設置され、前記上端部の押下量に応じて変形／復元を行う軟質部材と、前記軟質部材に取り付けられ、前記軟質部材が変形した際に前記基板上の電気接点を導通させることが可能なスイッチ素子と、を有するスイッチ本体と、
を具備するボタンスイッチ。
【請求項２】
前記第１連結部は、前記第１取り付け部の一部とで環を形成するように、前記第１取り付け部と一体成形され、前記環内に前記柱部を挿入した状態で、前記上端部の下面と接着される、
請求項１記載のボタンスイッチ。
【発明の詳細な説明】
【技術分野】
【０００１】
本発明は、ＤＳＳコンソール等に使用されるボタンスイッチに関する。
【背景技術】
【０００２】
ボタン電話機は、事前に相手の電話番号をワンタッチボタンと対応付けて登録しておき、登録した相手に電話を掛ける（発呼する）際に、対応するワンタッチボタンを押し下げる操作のみを行うことで簡単に発信することができる機能を具備している。
【０００３】
また、登録すべき相手が多く、ボタン電話機に用意されたワンタッチボタンの数が足りない場合には、ＤＳＳコンソール（拡張アドレス発呼装置）等のオプション・ユニットをボタン電話機に接続することにより、使用可能なワンタッチボタンの数を増やすことができる。
【０００４】
ＤＳＳコンソールの中には、ワンタッチボタン列の横に、相手番号等を表示するための液晶ディスプレイを有するものがある（特許文献１の図５参照）。
【先行技術文献】
【特許文献】
【０００５】
【特許文献１】特開２００６−１６５６５５号公報
【発明の概要】
【発明が解決しようとする課題】
【０００６】
液晶ディスプレイには、表示画面を有する液晶パネルの他に、液晶ドライバＩＣに信号を分配する基板部が存在する。
【０００７】
ワンタッチボタンの構造を、従来の、ボタンの直下にスイッチがあるタイプ（以下、「直下型ボタンスイッチ）という）とすると、液晶ディスプレイの基板部を避けるためには、表示画面から離れた位置にワンタッチボタンを配置しなければならない。この場合、使用者は、画面に表示された相手番号とワンタッチボタンとの対応が分かりにくいため、ＤＳＳコンソールの使い勝手が悪くなる。
【０００８】
また、液晶ディスプレイの基板部の上に、直下型ボタンスイッチを配置すると、ＤＳＳコンソールの厚みが増してしまう、あるいは、ボタンのストロークを十分に採ることができないという課題が生じる。
【０００９】
本発明は、かかる点に鑑みてなされたものであり、ＤＳＳコンソールの厚みが増すこと無く、ボタンのストロークを十分に採ることができ、かつ、液晶の表示画面の近傍にボタンを配置することができる構造のボタンスイッチを提供することを目的とする。
【課題を解決するための手段】
【００１０】
本発明に係るボタンスイッチは、筐体外部に露出したボタンの上端部を押し下げることにより、基板上の電気接点を導通させることが可能なボタンスイッチであって、前記上端部と、前記上端部からシフトして前記上端部の下部に形成された柱部と、前記筐体に取り付けられる第１取り付け部と、前記上端部と前記第１取り付け部とを連結して前記上端部の押下量に応じて撓み／復元を行う第１連結部と、を有するボタン本体と、凹み部において前記柱部の下端を受ける支持部と、前記筐体に取り付けられる第２取り付け部と、前記支持部と前記第２取り付け部とを連結して前記上端部の押下量に応じて撓み／復元を行う第２連結部と、を有する位置規制部材と、前記基板の前記支持部の直下の位置に設置され、前記上端部の押下量に応じて変形／復元を行う軟質部材と、前記軟質部材に取り付けられ、前記軟質部材が変形した際に前記基板上の電気接点を導通させることが可能なスイッチ素子と、を有するスイッチ本体と、を具備する構成を採る。
【発明の効果】
【００１１】
本発明によれば、ＤＳＳコンソールの厚みが増すこと無く、ボタンのストロークを十分に採ることができ、かつ、液晶の表示画面の近傍にボタンを配置することができる。さらに、本発明によれば、使用者が上端部の上面の端の領域を押した場合であっても、ボタン本体の進退を直進性よく行うことができる。
【図面の簡単な説明】
【００１２】
【図１】本発明の実施の形態に係るボタンスイッチを有するＤＳＳコンソールの斜視図
【図２】本発明の実施の形態に係るボタンスイッチを有するＤＳＳコンソールの斜視図（蓋部を取り除いた状態）
【図３】本発明の実施の形態に係るボタンスイッチの側面図（平常状態）
【図４】本発明の実施の形態に係るボタンスイッチの部分断面図（平常状態）
【図５】本発明の実施の形態に係るボタンスイッチの側面図（押圧荷重をかけた状態）
【図６】本発明の実施の形態に係るボタンスイッチの部分断面図（押圧荷重をかけた状態）
【発明を実施するための形態】
【００１３】
以下、図面を適宜参照して、本発明の一実施の形態につき、詳細に説明する。なお、以下では、液晶パネルの表示面側を上方、非表示面（背面）側を下方、ＤＳＳコンソール１の使用時における使用者に近い側を前方、使用者に遠い側を後方、上下方向及び前後方向に垂直な方向を横方向、と定義して各部の位置関係を説明する（図１参照）。
【００１４】
＜ＤＳＳコンソールの構成＞
図１は、本実施の形態に係るボタンスイッチ４０を有するＤＳＳコンソール１の斜視図である。図１に示すように、ＤＳＳコンソール１の筐体１０には、蓋部２０が嵌め込まれる。蓋部２０の中央部には、液晶の表示画面３１を可視化するための孔２１が設けられている。また、蓋部２０の孔２１の両横には、ボタンスイッチ４０の上端部１０１を筐体１０内部から突出させるための、複数個の孔２２が等間隔に設けられている。蓋部２０の孔２１の前方には、ページ送りキー６０（図２参照）の上端部６１を筐体１０内部から突出させるための孔２３が設けられている。
【００１５】
各ボタンスイッチ４０は、相手の電話番号と対応付けて登録され、使用者によって上端部１０１が押し下げられることにより、登録された相手の電話番号に発信するワンタッチボタンとしての機能を有する。ページ送りキー６０は、上端部６１が押し下げられることにより、表示画面３１に表示された相手番号等の情報がページ送りされるページ送り機能を有する。
【００１６】
図２は、蓋部２０を取り除いたＤＳＳコンソール１の斜視図である。図２に示すように、ＤＳＳコンソール１の筐体１０内部には、液晶ディスプレイ３０、複数のボタンスイッチ４０、基板５０及びページ送りボタン６０が設置される。
【００１７】
液晶ディスプレイ３０は、表示画面３１を有する液晶パネル３２（図３参照）と、液晶ドライバＩＣ（図示せず）に信号を分配する基板部３３（図３参照）と、から主に構成される。基板５０には、ボタンスイッチ４０によって導通する電気接点５１（図３参照）や、各種の回路が実装される。
【００１８】
＜ボタンスイッチの構造＞
次に、本実施の形態に係るボタンスイッチ４０の構造について、図３から図６を用いて説明する。図３及び図５は、本実施の形態に係るボタンスイッチ４０の側面図である。図４及び図６は、本実施の形態に係るボタンスイッチ４０の部分断面図である。図３及び図４は平常状態（押圧荷重をかけていない状態）を示し、図５及び図６は押圧荷重をかけた状態を示している。
【００１９】
図３から図６に示すように、ボタンスイッチ４０は、ボタン本体４１と、位置規制部材４２と、スイッチ本体４３と、から構成される。
【００２０】
ボタン本体４１は、ＤＳＳコンソール１から露出する上端部１０１と、上端部１０１の下部に設けられる柱部１０２と、筐体１０に固定的に取り付けられる取り付け部１０３と、上端部１０１と取り付け部１０３とを連結する連結部１０４と、を有する。
【００２１】
上端部１０１は、合成樹脂等により、断面矩形の略直方体形状に形成される。各ボタン本体４１は、上端部１０１の上面１０１ａの長辺がＤＳＳコンソール１の横方向と平行となるようにＤＳＳコンソール１に配置される。
【００２２】
柱部１０２は、合成樹脂等により、断面矩形の棒状に形成される。また、柱部１０２は、矩形断面の長辺が上端部１０１の上面１０１ａの長辺と平行であって、上端部１０１よりも取り付け部１０３に近くなる方向にシフト（偏位）するように、上端部１０１と一体成形される。
【００２３】
柱部１０２が上端部１０１に対して横方向にシフトした形状を有することより、上端部１０１を液晶の表示画面３１の近傍（基板部３３の上側）に配置しても、柱部１０２が基板部３３と干渉しなくなる。
【００２４】
なお、柱部１０２は、上端部１０１に対して、柱部１０２の取り付け部１０３から遠い側の矩形断面の短辺が、上端部１０１の上面１０１ａの取り付け部１０３に近い側の短辺よりも近くなるように偏位することが好ましい。
【００２５】
取り付け部１０３は、合成樹脂等により形成され、ビス等により筐体１０の内側面等に取り付け可能な構造となっている。
【００２６】
連結部１０４は、合成樹脂等により、取り付け部１０３の一部とで環を形成するように、取り付け部１０３と一体成形される。また、連結部１０４は、上側から環内に柱部１０２を挿入した状態で、上端部１０１の下面の取り付け部１０３から遠い側と接着される。なお、連結部１０４は、上端部１０１の長辺に対して平行となるように形成されることが好ましい。
【００２７】
また、連結部１０４は、撓み変形しやすく剛性の低い形状、材質であって、板バネとしての機能を有し、押下操作（使用者が上端部１０１を指で押し下げる操作）により下方向に撓んで変形し、開放操作（使用者が上端部１０１から指を放す操作）により元の形状に復元すると供に、付勢力により上端部１０１を元の位置に戻す。なお、取り付け部１０３が筐体１０に取り付けられた状態において、連結部１０４は片持ち梁となり、連結部１０４の撓み量は、固定端（取り付け部１０３側）が０であり、自由端に近いほど大きくなる。
【００２８】
位置規制部材４２は、柱部１０２の下端を支持する支持部２０１と、筐体１０に固定的に取り付けられる取り付け部２０２と、支持材２０１と取り付け部２０２とを連結する連結部２０３と、を有する。
【００２９】
支持部２０１は、合成樹脂等により形成され、柱部１０２の下端部１０２ａの外周よりも、やや大きい凹み部２０１ａを有する。各位置規制部材４２は、柱部１０２の下端部１０２ａを凹み部２０１ａの中で受けた状態で取り付けられる。
【００３０】
取り付け部２０２は、合成樹脂等により形成され、ビス等により筐体１０のブラケット等に取り付け可能な構造となっている。なお、上端部１０１が液晶ディスプレイ３０の基板部３３の上側に配置される場合、取り付け部２０２は、基板部３３の下側に取り付けられることになる。
【００３１】
連結部２０３は、合成樹脂等により、支持部２０１及び取り付け部２０２と一体成形される。連結部２０３は、撓み変形しやすく剛性の低い形状、材質であって、板バネとしての機能を有し、押下操作により下方向に撓んで変形し、開放操作により元の形状に復元し、支持部２０１を元の位置に戻す。なお、取り付け部２０２が筐体１０に取り付けられた状態において、連結部２０３は片持ち梁となり、連結部２０３の撓み量は、固定端（取り付け部２０２側）が０であり、自由端に近いほど大きくなる。
【００３２】
位置規制部材４２において、支持部２０１の凹み部２０１ａで柱部１０２の下端部１０２ａを受けることにより、使用者が上端部１０１上面の端の領域を押した場合であっても、柱部１０２の下端が横方向あるいは前後方向に変位することを規制することができる。
【００３３】
なお、連結部２０３の長さは、連結部１０４の長さと略同じであることが好ましい。また、連結部２０３の剛性は、連結部１０４の剛性と略同じであることが好ましい。
【００３４】
スイッチ本体４３は、軟質部材３０１と、スイッチ素子３０２と、を有する。
【００３５】
軟質部材３０１は、スポンジ状に構成された軟質の樹脂材料等によって形成され、基板５０の、支持部２０１の直下の位置に接着される。軟質部材３０１は、押下操作によりつぶれるように変形し、開放操作により元の形状に復元する。
【００３６】
スイッチ素子３０２は、金属等の導電性の部材からなり、平常状態（図３、図４）において電気接点５１と分離され、押下操作により押圧荷重をかけられた軟質部材３０１がつぶれた状態（図５、図６）において電気接点５１と接触するように、軟質部材３０１に取り付けられる。
【００３７】
［効果］
以上のように、本実施の形態によれば、ボタン本体４１の柱部１０２が上端部１０１に対して横方向にシフトした形状を有することより、上端部１０１を液晶の表示画面３１の近傍（基板部３３の上側）に配置しても、柱部１０２が基板部３３と干渉しない。したがって、ＤＳＳコンソール１の厚みが増すこと無く、ボタン本体４１のストロークを十分に採ることができ、かつ、液晶の表示画面３１の近傍にボタン本体４１の上端部１０１を配置することができる。
【００３８】
さらに、本実施の形態によれば、位置規制部材４２により、使用者が上端部１０１の上面１０１ａの端の領域を押した場合であっても、柱部１０２の下端が横方向あるいは前後方向に変位することを規制することができるので、ボタン本体４１の進退を直進性よく行うことができ、押下操作／開放操作に伴って接続／切断を精度良く行うことができる。
【産業上の利用可能性】
【００３９】
本発明は、ＤＳＳコンソール等の通信端末装置に用いるに好適である。
【符号の説明】
【００４０】
１  ＤＳＳコンソール
１０  筐体
２０  蓋部
３０  液晶ディスプレイ
４０  ボタンスイッチ
４１  ボタン本体
４２  位置規制部材
４３  スイッチ本体
５０  基板
１０１  上端部
１０２  柱部
１０３  取り付け部
１０４  連結部
２０１  支持部
２０２  取り付け部
２０３  連結部
３０１  軟質部材
３０２  スイッチ素子
【図１】
0006344654.tif 000002
【図２】
0006344654.tif 000003
【図３】
0006344654.tif 000004
【図４】
0006344654.tif 000005
【図５】
0006344654.tif 000006
【図６】
0006344654.tif 000007